(57)【要約】【課題】光通信用の光モジュールにおいて、光ファイバの端面から出射する下り光が半導体レーザチップの端面で反射し、再び光ファイバの端面に入射して生じる戻り光を軽減することにより、信頼性が高い高速の光モジュールを提供する。【解決手段】光ファイバ１と、半導体レーザチップ１０と、半導体レーザチップの出射端面に対し平行でない斜面を持つ傾斜面部品とを設けて、光ファイバと半導体レーザチップとの間に傾斜面部品を配置する。【選択図】        図１
2004361583.tif 000002
【特許請求の範囲】
【請求項１】
光ファイバと、半導体レーザチップと、前記半導体レーザチップの出射端面に対し平行でない斜面を持つ傾斜面部品とを備えた光モジュールにおいて、
前記光ファイバと前記半導体レーザチップとの間に前記傾斜面部品を配置したことを特徴とする光モジュール。
【請求項２】
光ファイバと、結合レンズと、半導体レーザチップと、前記半導体レーザチップの出射端面に対し平行でない斜面を持つ傾斜面部品とを備えた光モジュールにおいて、
前記結合レンズと前記半導体レーザチップとの間に前記傾斜面部品を配置したことを特徴とする光モジュール。
【請求項３】
光ファイバと、結合レンズと、半導体レーザチップと、前記半導体レーザチップの出射端面に対し平行でない斜面を持つ傾斜面部品とを備えた光モジュールにおいて、
前記光ファイバと前記結合レンズとの間に前記傾斜面部品を配置したことを特徴とする光モジュール。
【請求項４】
光ファイバと、半導体レーザチップと、前記半導体レーザチップを実装するパッケージと、前記半導体レーザチップの出射端面に対し平行でない斜面を持つ傾斜面部品とを備えた光モジュールにおいて、
前記パッケージの出射窓に前記傾斜面部品を配置したことを特徴とする光モジュール。
【請求項５】
光ファイバと、結合レンズと、半導体レーザチップとを備えた光モジュールにおいて、
前記結合レンズは、前記半導体レーザチップの出射端面に対し平行でない斜面を形成したことを特徴とする光モジュール。
【請求項６】
光ファイバと、半導体レーザチップと、前記半導体レーザチップの出射端面に対し平行でない斜面を持つ傾斜面部品とを備えた光モジュールにおいて、
前記半導体レーザチップの出射端面に前記傾斜面部品を配置したことを特徴とする光モジュール。
【請求項７】
光ファイバと、半導体レーザチップと、前記半導体レーザチップの出射端面に対し平行でない斜面を持つ傾斜面部品とを備えた光モジュールにおいて、
前記光ファイバの端面に前記傾斜面部品を配置したことを特徴とする光モジュール。
【請求項８】
前記傾斜面部品の斜面を、前記半導体レーザチップの出射端から出射する送信光が透過する２面の片側の面に形成したことを特徴とする請求項１から３のいずれか１つに記載の光モジュール。
【請求項９】
前記傾斜面部品の斜面を、前記半導体レーザチップの出射端から出射する送信光が透過する２面のそれぞれに形成したことを特徴とする請求項１から３のいずれか１つに記載の光モジュール。
【請求項１０】
前記傾斜面部品をガラス材で形成したことを特徴とする請求項１から９のいずれか１つに記載の光モジュール。
【請求項１１】
前記傾斜面部品をプラスチック材で形成したことを特徴とする請求項１から９のいずれか１つに記載の光モジュール。
【請求項１２】
前記半導体レーザチップの発光波長が１．１μｍ以上で、かつ前記傾斜面部品をシリコンで形成したことを特徴とする請求項１から９のいずれか１つに記載の光モジュール。
【請求項１３】
前記半導体レーザチップの出射端から出射する送信光が透過する前記傾斜面部品の面に、反射防止膜を形成したことを特徴とする請求項１から１２のいずれか１つに記載の光モジュール。
【発明の詳細な説明】
【０００１】
【発明の属する技術分野】
本発明は光通信用の光モジュールに関する。
【０００２】
【従来の技術】
光ファイバと半導体レーザチップとからなる光モジュールの従来の例として、その構成を図６に示す。図６の光モジュールは、光ファイバ１、フェルール２、端面３、キャピラリー４、スリーブ５、フランジ６、結合レンズ７、パッケージ８、出射窓９、半導体レーザチップ１０、送信光１１、下り光１２から構成されている。
【０００３】
以上のように構成された従来の光モジュールの作用について説明する。半導体レーザチップ１０で発生した送信光１１は、パッケージ８の出射窓９を通って結合レンズ７に入射する。結合レンズ７は、送信光１１を光ファイバ１の端面３に集光することにより送信光１１を光ファイバ１と結合させ、送信光１１は光ファイバ１内を伝搬する。フェルール２は光ファイバ１を保持し、キャピラリー４とスリーブ５とを通じて光ファイバ１はフランジ６に固定されている。半導体レーザチップ１０はパッケージ８の内部に実装されており、パッケージ８はフランジ６に圧入により固定されている。一方、光ファイバ１内を伝搬して端面３から出射した下り光１２は、結合レンズ７を透過して半導体レーザチップ１０の出射端面を照射し、その一部が半導体レーザチップ１０の出射端面で反射する。半導体レーザチップ１０の出射端面で反射した下り光１２の一部は、再び結合レンズ７を通って光ファイバ１の端面に入射し、光ファイバ１内を伝搬する戻り光となる。なお、この戻り光を抑制する光モジュールに関する発明として下記の特許文献１に開示されているものがある。
【０００４】
【特許文献１】
特開平１１−３１１７２０号公報（段落００４２）
【０００５】
この公報に開示された光モジュールは、発光素子と光変調器などの光導波路体とが簡単かつ高効率で光接続できるものである。
【０００６】
【発明が解決しようとする課題】
しかし、光ファイバ内を伝搬する戻り光の抑制がされない従来の光モジュールでは、受信側において戻り光は送信光と重なって妨害を与え、受信誤りを生じさせる原因となる。
【０００７】
本発明は、上記課題に鑑みてなされたもので、光ファイバと半導体レーザチップとで構成する光モジュールにおいて、下り光が半導体レーザチップの出射端面で反射して光ファイバと結合して生じる戻り光を軽減した信頼性の高い高速な光モジュールを提供することを目的とする。
【０００８】
【課題を解決するための手段】
上記課題を解決するために、本発明では、光ファイバと、半導体レーザチップと、半導体レーザチップの出射端面に対し平行でない斜面を持つ傾斜面部品とを設けて、光ファイバと半導体レーザチップとの間に傾斜面部品を配置している。すなわち、本発明によれば、光ファイバと、半導体レーザチップと、前記半導体レーザチップの出射端面に対し平行でない斜面を持つ傾斜面部品とを備えた光モジュールであって、前記光ファイバと前記半導体レーザチップとの間に前記傾斜面部品を配置した光モジュールが提供される。この構成により、傾斜面部品の斜面は、光ファイバを出射した下り光を屈折させることにより、光ファイバから出射した光が半導体レーザチップの出射端面を照射する量を減少させ、光ファイバを伝搬する戻り光を軽減することができるため、信頼性が高く、高速性を備えることができる。
【０００９】
また、本発明によれば、光ファイバと、結合レンズと、半導体レーザチップと、前記半導体レーザチップの出射端面に対し平行でない斜面を持つ傾斜面部品とを備えた光モジュールであって、前記結合レンズと前記半導体レーザチップとの間に前記傾斜面部品を配置した光モジュールが提供される。この構成により、結合レンズと半導体レーザとの間に配置した傾斜面部品の斜面は、光ファイバから出射し、結合レンズを透過した下り光を屈折させることにより、下り光が半導体レーザチップの出射端面を照射する量を減少させ、光ファイバを伝搬する戻り光を軽減することができるため、信頼性が高く、高速性を備えることができる。また、結合レンズは、半導体レーザチップの出射端面から出射した送信光を光ファイバ端面上に集光し、送信光と光ファイバとの結合効率を高めることができる。
【００１０】
また、本発明によれば、光ファイバと、結合レンズと、半導体レーザチップと、前記半導体レーザチップの出射端面に対し平行でない斜面を持つ傾斜面部品とを備えた光モジュールであって、前記光ファイバと前記結合レンズとの間に前記傾斜面部品を配置した光モジュールが提供される。この構成により、光ファイバと結合レンズとの間に配置した傾斜面部品の斜面は、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備えることができる。また、結合レンズは、半導体レーザチップの出射端面から出射した送信光を光ファイバ端面上に集光し、送信光と光ファイバとの結合効率を高めることができる。
【００１１】
また、本発明によれば、光ファイバと、半導体レーザチップと、前記半導体レーザチップを実装するパッケージと、前記半導体レーザチップの出射端面に対し平行でない斜面を持つ傾斜面部品とを備えた光モジュールであって、前記パッケージの出射窓に前記傾斜面部品を配置した光モジュールが提供される。この構成により、パッケージの出射窓に配置した傾斜面部品の斜面は、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備えることができる。また、パッケージは半導体レーザチップを保持するとともに、気密性により半導体レーザチップを保護することができる。
【００１２】
また、本発明によれば、光ファイバと、結合レンズと、半導体レーザチップとを備えた光モジュールであって、前記結合レンズは、前記半導体レーザチップの出射端面に対し平行でない斜面を形成した光モジュールが提供される。この構成により、結合レンズの斜面は、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備えることができる。また、結合レンズのレンズ面は、半導体レーザチップの出射端面から出射した送信光を光ファイバ端面上に集光し、送信光と光ファイバとの結合効率を高めることができる。
【００１３】
また、本発明によれば、光ファイバと、半導体レーザチップと、前記半導体レーザチップの出射端面に対し平行でない斜面を持つ傾斜面部品とを備えた光モジュールであって、前記半導体レーザチップの出射端面に前記傾斜面部品を配置した光モジュールが提供される。この構成により、半導体レーザチップの出射端面に備えた傾斜面部品の斜面は、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備えることができる。
【００１４】
また、本発明によれば、光ファイバと、半導体レーザチップと、前記半導体レーザチップの出射端面に対し平行でない斜面を持つ傾斜面部品とを備えた光モジュールであって、前記光ファイバの端面に前記傾斜面部品を配置した光モジュールが提供される。この構成により、光ファイバの端面に配置した傾斜面部品の斜面は、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備えることができる。
【００１５】
また、上記発明の光モジュールを構成する前記傾斜面部品の斜面を、前記半導体レーザチップの出射端から出射する送信光が透過する２面の片側の面に形成することは、本発明の好ましい態様である。この構成により、傾斜面部品の２面の片側の面に形成した斜面は、光ファイバから出射した下り光を屈折させることにより、光ファイバから出射した光が半導体レーザチップの出射端面を照射する量を減少させ、光ファイバを伝搬する戻り光を軽減することができる。
【００１６】
また、上記発明の光モジュールを構成する前記傾斜面部品の斜面を、前記半導体レーザチップの出射端から出射する送信光が透過する２面のそれぞれに形成することは、本発明の好ましい態様である。この構成により、傾斜面部品の２面のそれぞれの面に形成した斜面は、光ファイバから出射した下り光をそれぞれ屈折させることにより、光ファイバから出射した下り光が半導体レーザチップの出射端面を照射する量を減少させ、光ファイバを伝搬する戻り光を軽減することができる。
【００１７】
また、上記発明の光モジュールを構成する前記傾斜面部品をガラス材で形成することは、本発明の好ましい態様である。この構成により、ガラス材で形成した傾斜面部品の斜面は、光ファイバから出射した光を屈折させることにより、光ファイバから出射した下り光が半導体レーザチップの出射端面を照射する量を減少させ、光ファイバを伝搬する戻り光を軽減することができる。
【００１８】
また、上記発明の光モジュールを構成する前記傾斜面部品をプラスチック材で形成することは、本発明の好ましい態様である。この構成により、プラスチック材で形成した傾斜面部品の斜面は、光ファイバから出射した下り光を屈折させることにより、光ファイバから出射した下り光が半導体レーザチップの出射端面を照射する量を減少させ、光ファイバを伝搬する戻り光を軽減することができる。
【００１９】
また、上記発明の光モジュールを構成する前記半導体レーザチップの発光波長が１．１μｍ以上で、かつ前記傾斜面部品をシリコンで形成することは、本発明の好ましい態様である。この構成により、シリコンで形成した傾斜面部品は半導体レーザチップからの送信光を透過するとともに、傾斜面部品の斜面は、光ファイバから出射した下り光を屈折させることにより、光ファイバから出射した下り光が半導体レーザチップの出射端面を照射する量を減少させ、光ファイバを伝搬する戻り光を軽減することができる。
【００２０】
また、上記発明の光モジュールを構成する前記半導体レーザチップの出射端から出射する送信光が透過する前記傾斜面部品の面に反射防止膜を形成することは、本発明の好ましい態様である。この構成により、反射防止膜は、傾斜面部品の面における送信光の反射を防止することができる。
【００２１】
【発明の実施の形態】
＜第１の実施の形態＞
以下、本発明の第１の実施の形態について図１を用いて説明する。図１は、本発明の第１の実施の形態に係る光モジュールの断面図である。図１において、光モジュールは、斜面１７を有する片側傾斜面部品１３を備えている。なお、図６の要素と同一又は対応する要素は、同様の符号を付し説明を省略する。
【００２２】
片側傾斜面部品１３は、半導体レーザチップ１０が出射する送信光に対し透過性を持つ材料で構成されており、例えば、石英ガラスやＢＫ７（硼珪クラウン）などのガラス材やプラスチック材を用いる。斜面１７の形成は、片側傾斜面部品１３を構成する部材を切削及び研磨することにより形成するか、又はガラス材の場合はモールド成型により、プラスチック材の場合は射出成型や金型を用いて行う。片側傾斜面部品１３は、斜面１７が半導体レーザチップ１０の出射端面に対し、平行とならないように成形及び配置をする。片側傾斜面部品１３はパッケージ８の出射窓９に不図示の透明接着剤を用いて固定している。
【００２３】
結合レンズ７は、半導体レーザチップ１０が出射する送信光に対し透過性を持つ材料で構成されており、例えば、石英ガラスやＢＫ７（硼珪クラウン）などのガラス材やプラスチック材を用いる。結合レンズは、球面レンズや非球面レンズ、ロッドレンズ、平板マイクロレンズのいずれを用いてもよい。
【００２４】
次に、第１の実施の形態の動作について、図１により説明する。半導体レーザチップ１０で発生した送信光１１は、パッケージ８の出射窓９を通って出射窓９に接着した片側傾斜面部品１３に入射する。片側傾斜面部品１３に入射した送信光１１は、片側傾斜面部品１３の斜面１７を透過する際に屈折作用を受けて屈折し、片側傾斜面部品１３から出射する。
【００２５】
片側傾斜面部品１３から出射した送信光１１は、結合レンズ７より集光作用を受けて、光ファイバ１の端面３上に集光され、光ファイバ１と結合することにより、光ファイバ１内を光軸に沿って伝搬する。半導体レーザチップ１０と光ファイバ１の端面３との相対位置は、送信光１１が光ファイバ１と結合するように調整されている。
【００２６】
光ファイバ１内を伝搬して端面３から出射した下り光１２は、結合レンズ７を通って片側傾斜面部品１３の斜面１７に入射し、斜面１７を透過する際に屈折作用を受けて屈折し、さらに出射窓９の半導体レーザチップ１０側の面から出射する際にも屈折作用を受ける。
【００２７】
端面３における送信光１１の光線主軸のファイバ入射角と下り光１２の光線主軸のファイバ出射角は、送信光１１が斜面１７で屈折することにより異なった値となる。そのため、端面３から出射した下り光１２の光線主軸は、送信光１１の光線主軸と異なる光路をたどり、半導体レーザチップ１０の出射端面から外れた方向を通る。したがって、下り光１２が半導体レーザチップ１０の出射端面を照射する割合は小さくなるので、下り光１２が半導体レーザチップ１０の出射端面で反射し、再び光ファイバ１の端面３に入射することにより生じる戻り光は軽減される。
【００２８】
以上により、第１の実施の形態では、光ファイバ１と、半導体レーザチップ１０と、半導体レーザチップ１０の出射端面に対し平行でない斜面を持つ片側傾斜面部品１３とを備え、結合レンズ７と半導体レーザチップ１０との間に位置するパッケージ８の出射窓９に傾斜面部品を配置した構成により、傾斜面部品の斜面は、光ファイバ１から出射した下り光１２を屈折し、光ファイバ１から出射した下り光１２が半導体レーザチップ１０の出射端面を照射する量を減少させ、下り光１２が半導体レーザチップ１０の出射端面で反射し、再び結合レンズ７を通って光ファイバ１の端面に入射することにより生じる戻り光を軽減した光モジュールを実現している。
【００２９】
＜第２の実施の形態＞
次に、本発明の第２の実施の形態について図２を用いて説明する。図２は、本発明の第２の実施の形態に係る光モジュールの断面図である。図２において、光モジュールは、反射防止膜１６を有する両側傾斜面部品１４を備えている。なお、図１及び図６の要素と同一又は対応する要素は、同様の符号を付し説明を省略する。
【００３０】
両側傾斜面部品１４は、半導体レーザチップ１０が出射する送信光１１に対し透過性を持つ材料で構成されており、例えば、石英ガラスやＢＫ７などのガラス材やプラスチック材を用いる。斜面１７の形成は、両側傾斜面部品１４を構成する部材を切削及び研磨することにより形成するか、ガラス材の場合はモールド成型により、プラスチック材の場合は射出成型や金型を用いて行う。両側傾斜面部品１４の斜面１７は、光ファイバ１側と半導体レーザチップ１０側との斜面が互いに平行になることがないように、かつ半導体レーザチップ１０の出射端面に対し、平行とならないように成形及び配置をする。反射防止膜１６として、例えば、誘電体多層膜からなる反射防止膜を用いる。
【００３１】
次に、第２の実施の形態の動作について図２を用いて説明する。半導体レーザチップ１０で発生した送信光１１は、パッケージ８の出射窓９を透過した後、結合レンズ７において集光作用を受けて、両側傾斜面部品１４に入射する。両側傾斜面部品１４に入射した送信光１１は、両側傾斜面部品１４の結合レンズ７側及び光ファイバ１側のそれぞれの斜面１７を透過する際に屈折し、両側傾斜面部品１４から出射する。
【００３２】
両側傾斜面部品１４から出射した送信光１１は光ファイバ１の端面３上に集光され、光ファイバ１と結合することにより、光ファイバ１内を光軸に沿って伝搬する。半導体レーザチップ１０と光ファイバ１の端面との相対位置は、送信光１１が光ファイバ１と結合するように調整されている。
【００３３】
一方、光ファイバ１内を伝搬して端面３から出射した下り光１２は、両側傾斜面部品１４の光ファイバ１側及び結合レンズ７側のそれぞれの斜面１７を透過する際に屈折作用を受けて両側傾斜面部品１４から出射する。両側傾斜面部品１４から出射した下り光１２は、結合レンズ７を透過する。
【００３４】
端面３における送信光１１の光線主軸のファイバ入射角と下り光１２の光線主軸のファイバ出射角は、送信光１１が斜面１７で屈折することにより異なった値となる。そのため、端面３から出射した下り光１２の光線主軸は、送信光１１の光線主軸と異なる光路をたどり、半導体レーザチップ１０の出射端面から外れた方向を通る。したがって、下り光１２が半導体レーザチップ１０の出射端面を照射する割合は小さくなるので、下り光１２が半導体レーザチップ１０の出射端面で反射し、再び光ファイバ１の端面３に入射することにより生じる戻り光は軽減される。
【００３５】
反射防止膜１６は、送信光１１に対して斜面１７で生じる反射を防止し、光ファイバ１と送信光１１との結合効率を高め、また送信光１１による反射光が半導体レーザチップ１０に入射し、半導体レーザチップ１０の動作が不安定になるのを防止する。
【００３６】
以上により、第２の実施の形態では、光ファイバ１と、半導体レーザチップ１０と、半導体レーザチップ１０の出射端面に対し平行でない斜面を持つ両側傾斜面部品１４とを備え、結合レンズ７と光ファイバ１との間に両側傾斜面部品１４を配置した構成により、両側傾斜面部品１４の２つの斜面は、光ファイバ１から出射した下り光１２を屈折させて、光ファイバ１から出射した下り光１２が半導体レーザチップ１０の出射端面を照射することを減少させ、下り光１２が半導体レーザチップ１０の出射端面で反射し、再び光ファイバ１の端面に入射することにより生じる戻り光を軽減し、また傾斜面部品の斜面に反射防止膜１６を備えることにより斜面での反射を抑制して半導体レーザチップ１０が出射する送信光１１と光ファイバ１との結合効率を高めるとともに、半導体レーザチップ１０の動作を安定させた光モジュールを実現している。
【００３７】
＜第３の実施の形態＞
次に、本発明の第３の実施の形態について図３を用いて説明する。図３は、本発明の第３の実施の形態に係る光モジュールの断面図である。図３において、光モジュールは、傾斜面付結合レンズ１５を備えている。なお、図１及び図２並びに図６の要素と同一又は対応する要素は、同様の符号を付し説明を省略する。
【００３８】
傾斜面付結合レンズ１５は、半導体レーザチップ１０が出射する送信光１１に対し透過性を持つ材料で構成されており、例えば、石英ガラスやＢＫ７などのガラス材やプラスチック材を用いる。傾斜面付結合レンズ１５のレンズ面は、球面レンズや非球面レンズ、ロッドレンズ、平板マイクロレンズのいずれを用いてもよい。
【００３９】
傾斜面付結合レンズ１５の斜面１７の形成は、傾斜面付結合レンズ１５を構成する部材を切削及び研磨することにより形成するか、ガラス材の場合はモールド成型により、プラスチック材の場合は射出成型や金型を用いて行う。傾斜面付結合レンズ１５は、斜面１７が半導体レーザチップ１０の出射端面に対し、平行とならないように成形及び配置をする。
【００４０】
次に、第３の実施の形態の動作について図３を用いて説明する。半導体レーザチップ１０で発生した送信光１１は、パッケージ８の出射窓９を通って傾斜面付結合レンズ１５に入射する。傾斜面付結合レンズ１５に入射した送信光１１は、傾斜面付結合レンズ１５のレンズ面で集光作用を受けた後、斜面１７を透過する際に屈折作用を受けて屈折し、傾斜面付結合レンズ１５から出射する。
【００４１】
傾斜面付結合レンズ１５から出射した送信光１１は、光ファイバ１の端面３上に集光され、光ファイバ１と結合することにより、光ファイバ１内を光軸に沿って伝搬する。半導体レーザチップ１０と光ファイバ１の端面３との相対位置は、送信光１１が光ファイバ１と結合するように調整されている。
【００４２】
一方、光ファイバ１内を伝搬して端面３から出射した下り光１２は、傾斜面付結合レンズ１５に入射し、斜面１７で屈折作用を受け、傾斜面付結合レンズ１５のレンズ面を透過して傾斜面付結合レンズ１５から出射する。
【００４３】
端面３における送信光１１の光線主軸のファイバ入射角と下り光１２の光線主軸のファイバ出射角は、送信光１１が斜面１７で屈折することにより異なった値となる。そのため、端面３を出射した下り光１２の光線主軸は、送信光１１の光線主軸と異なる光路をたどり、半導体レーザチップ１０の出射端面から外れた方向を通る。したがって、下り光１２が半導体レーザチップ１０の出射端面を照射する割合は小さくなり、下り光１２が半導体レーザチップ１０の出射端面で反射し、再び傾斜面付結合レンズ１５を通って光ファイバ１の端面に入射することにより生じる戻り光は軽減される。
【００４４】
以上により、第３の実施の形態では、光ファイバ１と、半導体レーザチップ１０と、半導体レーザチップ１０の出射端面に対し平行でない斜面を形成した結合レンズである傾斜面付結合レンズ１５とを備えた構成により、傾斜面付結合レンズ１５の斜面は、光ファイバ１から出射した下り光１２を屈折させて、光ファイバ１から出射した下り光１２が半導体レーザチップ１０の出射端面を照射することを減少させ、下り光１２が半導体レーザチップ１０の出射端面で反射し、再び光ファイバ１の端面に入射することにより生じる戻り光を軽減する。また、傾斜面付結合レンズ１５のように、結合レンズ７に斜面を形成することにより、結合レンズ７と傾斜面部品とを一体化した小型の光モジュールを実現している。
【００４５】
なお、上記第３の実施の形態においては、傾斜面付結合レンズ１５の斜面を光ファイバ１側に備えた構成について説明したが、斜面を半導体レーザチップ１０側に備えた構成についても、同様に実施可能である。
【００４６】
＜第４の実施の形態＞
次に、本発明の第４の実施の形態について図４を用いて説明する。図４は、本発明の第４の実施の形態に係る光モジュールの断面図である。なお、図１及び図６の要素と同一又は対応する要素は、同様の符号を付し説明を省略する。
【００４７】
半導体レーザチップ１０は、発光波長１３００ｎｍのものを用いている。片側傾斜面部品１３は、シリコンを切削及び研磨することにより形成し、半導体レーザチップ１０の出射端面に不図示の透明接着剤を用いて固定している。
【００４８】
次に、第４の実施の形態の動作について図４を用いて説明する。半導体レーザチップ１０で発生した送信光１１は、片側傾斜面部品１３に入射し、片側傾斜面部品１３の斜面１７を透過する際に屈折作用を受けて屈折し、片側傾斜面部品１３から出射する。
【００４９】
片側傾斜面部品１３から出射した送信光１１は、パッケージ８の出射窓９を透過し、結合レンズ７より集光作用を受けて、光ファイバ１の端面３上に集光され、光ファイバ１と結合することにより、光ファイバ１内を光軸に沿って伝搬する。半導体レーザチップ１０と光ファイバ１の端面との相対位置は、送信光１１が光ファイバ１と結合するように調整されている。
【００５０】
上記第４の実施の形態においては、第１の実施の形態と同様に、片側傾斜面部品１３の斜面１７における屈折により、送信光１１と下り光１２の光線主軸の光路が異なるため、下り光１２の光線主軸は半導体レーザチップ１０の出射端面から外れた方向を通る。したがって、下り光１２が半導体レーザチップ１０の出射端面を照射する割合は小さくなり、下り光１２が半導体レーザチップ１０の出射端面で反射し、再び光ファイバ１の端面に入射することにより生じる戻り光は軽減される。
【００５１】
以上により、第４の実施の形態では、光ファイバ１と、半導体レーザチップ１０と、半導体レーザチップ１０の出射端面に対し平行でない斜面を持つ傾斜面部品である片側傾斜面部品１３とを備え、半導体レーザチップ１０の出射端面に片側傾斜面部品１３を配置した構成により、傾斜面部品の斜面は、光ファイバ１から出射した下り光１２を屈折させて、光ファイバ１から出射した下り光１２が半導体レーザチップ１０の出射端面を照射することを減少させ、下り光１２が半導体レーザチップ１０の出射端面で反射し、再び結合レンズ７を通って光ファイバ１の端面に入射することにより生じる戻り光を軽減する。また傾斜面部品を半導体レーザチップ１０端面に配置することにより小型化した光モジュールを実現している。なお上記第４の実施の形態では、シリコンを切削及び研磨して片側傾斜面部品１３の斜面を形成したが、シリコンをエッチングにより加工して斜面を形成しても同様に実施可能である。
【００５２】
さらに、シリコンの代わりにガラス材料やプラスチック材料で形成した片側傾斜面部品１３を用いても同様に実施可能である。
【００５３】
＜第５の実施の形態＞
次に、本発明の第５の実施の形態について図５を用いて説明する。図５は、本発明の第５の実施の形態に係る光モジュールの断面図である。なお、図１及び図６の要素と同一又は対応する要素は、同様の符号を付し説明を省略する。
【００５４】
片側傾斜面部品１３は、第１の実施の形態と同様の材料及び方法によって形成されているが、光ファイバ１の端面３に不図示の透明接着剤を用いて固定している。
【００５５】
次に、第５の実施の形態の動作について図５を用いて説明する。半導体レーザチップ１０で発生した送信光１１は、パッケージ８の出射窓９を透過した後、結合レンズ７において集光作用を受け、片側傾斜面部品１３に入射する。片側傾斜面部品１３に入射した送信光１１は、斜面１７を透過する際に屈折作用を受けて屈折し、光ファイバ１の端面３上に集光する。端面３に集光した送信光１１は、光ファイバ１と結合することにより、光ファイバ１内を光軸に沿って伝搬する。半導体レーザチップ１０と光ファイバ１の端面との相対位置は、送信光１１が光ファイバ１と結合するように調整されている。
【００５６】
上記第５の実施の形態においては、第１の実施の形態と同様に、片側斜面部品１３の斜面１７における屈折により、送信光１１と下り光１２の光線主軸の光路が異なるため、下り光１２の光線主軸は半導体レーザチップ１０の出射端面から外れた方向を通る。したがって、下り光１２が半導体レーザチップ１０の出射端面を照射する割合は小さくなり、下り光１２が半導体レーザチップ１０の出射端面で反射し、再び光ファイバ１の端面に入射することにより生じる戻り光は軽減される。
【００５７】
以上により、第５の実施の形態では、光ファイバ１と、半導体レーザチップ１０と、半導体レーザチップ１０の出射端面に対し平行でない斜面を持つ傾斜面部品である片側傾斜面部品１３とを備え、光ファイバ１の端面に片側傾斜面部品１３を配置した構成により、片側傾斜面部品１３の斜面１７は、光ファイバ１から出射した下り光１２を屈折させて、光ファイバ１から出射した下り光１２が半導体レーザチップ１０の出射端面を照射することを減少させ、下り光１２が半導体レーザチップ１０の出射端面で反射し、再び結合レンズ７を通って光ファイバ１の端面３に入射することにより生じる戻り光を軽減する。また、片側傾斜面部品１３を光ファイバ１の端面３に配置することにより小型化した光モジュールを実現している。
【００５８】
【発明の効果】
以上説明したように、本発明では、光ファイバと、半導体レーザチップと、前記半導体レーザチップの出射端面に対し平行でない斜面を持つ傾斜面部品とを備えた光モジュールであって、前記光ファイバと前記半導体レーザチップとの間に前記傾斜面部品を配置したので、光ファイバを出射した下り光を屈折させることにより、光ファイバから出射した光が半導体レーザチップの出射端面を照射する量を減少させ、光ファイバを伝搬する戻り光を軽減することができるため、信頼性が高く、高速性を備える光モジュールを提供することができるものである（請求項１）。
【００５９】
また、本発明では、光ファイバと、結合レンズと、半導体レーザチップと、前記半導体レーザチップの出射端面に対し平行でない斜面を持つ傾斜面部品とを備えた光モジュールであって、前記結合レンズと前記半導体レーザチップとの間に前記傾斜面部品を配置したので、光ファイバから出射し、結合レンズを透過した下り光を屈折させることにより、下り光が半導体レーザチップの出射端面を照射する量を減少させ、光ファイバを伝搬する戻り光を軽減することができるため、信頼性が高く、高速性を備える光モジュールを提供することができるものである。また、結合レンズは、半導体レーザチップの出射端面から出射した送信光を光ファイバ端面上に集光し、送信光と光ファイバとの結合効率を高めることができる（請求項２）。
【００６０】
また、本発明では、光ファイバと、結合レンズと、半導体レーザチップと、前記半導体レーザチップの出射端面に対し平行でない斜面を持つ傾斜面部品とを備えた光モジュールであって、前記光ファイバと前記結合レンズとの間に前記傾斜面部品を配置したので、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備える光モジュールを提供することができるものである。また、結合レンズは、半導体レーザチップの出射端面から出射した送信光を光ファイバ端面上に集光し、送信光と光ファイバとの結合効率を高めることができる（請求項３）。
【００６１】
また、本発明では、光ファイバと、半導体レーザチップと、前記半導体レーザチップを保持するパッケージと、前記半導体レーザチップの出射端面に対し平行でない斜面を持つ傾斜面部品とを備えた光モジュールであって、前記パッケージの出射窓に前記傾斜面部品を配置したので、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備える光モジュールを提供することができるものである。また、パッケージは半導体レーザチップを保持するとともに、気密性により半導体レーザチップを保護することができる（請求項４）。
【００６２】
また、本発明では、光ファイバと、結合レンズと、半導体レーザチップとを備えた光モジュールであって、前記結合レンズは、前記半導体レーザチップの出射端面に対し平行でない斜面を形成したので、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備える光モジュールを提供することができるものである。また、結合レンズのレンズ面は、半導体レーザチップの出射端面から出射した送信光を光ファイバ端面上に集光し、送信光と光ファイバとの結合効率を高めることができる（請求項５）。
【００６３】
また、本発明では、光ファイバと、半導体レーザチップと、前記半導体レーザチップの出射端面に対し平行でない斜面を持つ傾斜面部品とを備えた光モジュールであって、前記半導体レーザチップの出射端面に前記傾斜面部品を配置したので、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備える光モジュールを提供することができるものである（請求項６）。
【００６４】
また、本発明では、光ファイバと、半導体レーザチップと、前記半導体レーザチップの出射端面に対し平行でない斜面を持つ傾斜面部品とを備えた光モジュールであって、前記光ファイバの端面に前記傾斜面部品を配置したので、光ファイバから出射した下り光を屈折させることにより、光ファイバから出射した下り光が半導体レーザチップの出射端面を照射する量を減少させ、光ファイバを伝搬する戻り光を軽減することができるため、信頼性が高く、高速性を備える光モジュールを提供することができるものである（請求項７）。
【図面の簡単な説明】
【図１】本発明の第１の実施の形態における光モジュールの断面図
【図２】本発明の第２の実施の形態における光モジュールの断面図
【図３】本発明の第３の実施の形態における光モジュールの断面図
【図４】本発明の第４の実施の形態における光モジュールの断面図
【図５】本発明の第５の実施の形態における光モジュールの断面図
【図６】従来の光モジュールの断面図
【符号の説明】
１  光ファイバ
２  フェルール
３  端面
４  キャピラリー
５  スリーブ
６  フランジ
７  結合レンズ
８  パッケージ
９  出射窓
１０  半導体レーザチップ
１１  送信光
１２  下り光
１３  片側傾斜面部品
１４  両側傾斜面部品
１５  傾斜面付結合レンズ
１６  反射防止膜
１７  斜面
【図１】
2004361583.tif 000003
【図２】
2004361583.tif 000004
【図３】
2004361583.tif 000005
【図４】
2004361583.tif 000006
【図５】
2004361583.tif 000007
【図６】
2004361583.tif 000008